(57)【要約】【課題】  粉状の固化材を良好にバラまき、地盤を改良することのできる固化材バラまきホッパーを提供する。【解決手段】  エアーと共に圧送されてくる粉状の固化材が、ホースジョイント３から渦巻状に流入されるホッパー本体２と、このホッパー本体２の上部に設けられて内部にフィルター６を備えるとともに、エアー排出用の脱気管７を有するエアー抜きカバー５と、ホッパー本体２の下端に垂設されて固化材を下方へ排出させる排出シュート１０を備え、全体をワイヤー等で吊り下げ可能に吊り下げブラケット８，８，８が設けられている。【選択図】  図１
2005155210.tif 000002
【特許請求の範囲】
【請求項１】
エアーと共に圧送されてくる粉状の固化材が渦巻状に流入されるホッパー本体と、
該ホッパー本体の上部に設けられて、内部にフィルターを備えるとともに、エアー排出用の脱気管を有するエアー抜きカバーと、
前記ホッパー本体の下端に垂設されて前記固化材を下方へ排出させる排出シュートを備え、
全体をワイヤー等で吊り下げ可能に吊り下げブラケットが設けられてなる固化材バラまきホッパー。
【請求項２】
前記排出シュートの外周側には、伸縮可能な伸縮脚部を有するピットスタンドが配設されていることを特徴とする請求項１に記載の固化材バラまきホッパー。
【発明の詳細な説明】
【技術分野】
【０００１】
本発明は、地盤改良工事に使用される固化材バラまきホッパーに関するものである。
【背景技術】
【０００２】
従来、例えば特許文献１に開示されているようなサイクロンセパレータ装置が存在する。
【特許文献１】特開平０５−２１２３１５号公報
【発明の開示】
【発明が解決しようとする課題】
【０００３】
上記従来のサイクロンセパレータ装置は圧量容器であり、地盤改良工事等のために使用することはできないものであった。
【課題を解決するための手段】
【０００４】
本発明は上記従来の問題点に鑑み案出したものであって、地盤改良工事に使用することのできる固化材バラまきホッパーを提供せんとするものであり、その請求項１は、エアーと共に圧送されてくる粉状の固化材が渦巻状に流入されるホッパー本体と、該ホッパー本体の上部に設けられて、内部にフィルターを備えるとともに、エアー排出用の脱気管を有するエアー抜きカバーと、前記ホッパー本体の下端に垂設されて前記固化材を下方へ排出させる排出シュートを備え、全体をワイヤー等で吊り下げ可能に吊り下げブラケットが設けられていることである。
【０００５】
また請求項２は、前記排出シュートの外周側には、伸縮可能な伸縮脚部を有するピットスタンドが配設されていることである。
【発明の効果】
【０００６】
本発明の固化材バラまきホッパーは、エアーと共に圧送されてくる粉状の固化材が渦巻状に流入されるホッパー本体と、ホッパー本体の上部に設けられて、内部にフィルターを備えるとともに、エアー排出用の脱気管を有するエアー抜きカバーと、ホッパー本体の下端に垂設されて固化材を下方へ排出させる排出シュートを備え、全体をワイヤー等で吊り下げ可能に吊り下げブラケットが設けられてなることにより、圧送車からエアーと共に粉状の固化材がホッパー本体内に流入されると、固化材とエアーがホッパー本体内で渦巻状に旋回し、エアー抜きカバー内に設けられたフィルターを通ってエアーが分離されて、上方の脱気管より良好にエアーが排出され、粉状の固化材は下端の排出シュートから良好に下方へ排出されることとなり、全体を吊り下げた状態としておき、下端の排出シュートから地面に向けて固化材を落下させ、地面に良好に固化材をバラまくことができ、バラまかれた固化材により地面を硬化させて、地面を建築用の硬い地盤に改良することができるものとなる。
【０００７】
また、排出シュートの外周側には、伸縮可能な伸縮脚部を有するピットスタンドが配設されているため、バラまきホッパーを使用しない時には、伸縮脚部を伸ばしてピットスタンドでバラまきホッパーを自立させておくことができるものとなる。
【実施例】
【０００８】
以下、本発明の実施例を図面に基づいて説明する。
図１は、固化材バラまきホッパー１の正面構成図であり、図２は、図１の平面概略構成図である。
【０００９】
固化材バラまきホッパー１は、円筒状のホッパー本体２内の上部部位に、下方側へ向かって縮径した円錐筒部４が内装されており、円錐筒部４の下端がホッパー本体２内に開口４ａされたものとなっている。
また、ホッパー本体２の上端から、上方へ立ち上がってエアー抜きカバー５が設けられており、このエアー抜きカバー５内には、例えば３個のフィルター６，６，６が内装されている。また、エアー抜きカバー５の上端には、エアーを排出するための脱気管７が立設されている。
また、ホッパー本体２の側面外周には、４本の吊り下げブラケット８，８，８がエアー抜きカバー５を囲むようにして立設されており、各吊り下げブラケット８の上端部には、ワイヤー等を引掛ける部分が形成されている。
【００１０】
なお、ホッパー本体２には、外周の接線方向に突出してホースジョイント３が一体形成されており、このホースジョイント３には、図示しない圧送車からのホースを接続できるように構成されている。
また、ホッパー本体２の下端から、下方側へ向かって縮径したコーン部９が形成されており、コーン部９の下端には、下端に排出口１０ａを有する排出シュート１０が垂下状に設けられている。
【００１１】
また、コーン部９の外周には、４本のピットスタンド１１，１１，１１，１１が下方側に向かって拡径状に設けられており、４本の各ピットスタンド１１には、それぞれ出し入れできる伸縮脚部１１ａが設けられて、各伸縮脚部１１ａの下端には、地盤上に当接される水平状の着地板１１ｂが設けられている。
固化材バラまきホッパー１を使用しない状態では、各ピットスタンド１１から伸縮脚部１１ａを下方側へ伸ばして、着地板１１ｂを地盤上等に当接させることで、４本のピットスタンド１１，１１，１１，１１により、固化材バラまきホッパー１は良好に自立されるものである。
【００１２】
固化材バラまきホッパー１を使用する時には、図示しない圧送車からホースを延ばし、このホースをホースジョイント３に接続して取り付ける。その状態で、４本の吊り下げブラケット８にワイヤーを取り付けて、例えばユンボとかショベルカー等の土木機械で、固化材バラまきホッパー１全体をワイヤーで吊り上げる。この時には、伸縮脚部１１ａをそれぞれピットスタンド１１内に差し込んで収納しておくことができる。
固化材バラまきホッパー１を地上から５０cm〜１ｍ程度吊り上げた状態で、排出シュート１０の外周に、サニーホースかシートを筒状に巻き付けて、地上に達するような排出路を形成させる。
【００１３】
このようにして、固化材バラまきホッパー１をユンボ等で吊り上げた状態で、図示しない圧送車から、エアーと共に、粉状の固化材である例えばセメント粉をホースを通し圧送し、ホースジョイント３からホッパー本体２内に流入させる。
エアーと共に圧送されてくるセメント粉は、ホースジョイント３からホッパー本体２内に勢い良く流入され、ホースジョイント３は接線方向に設けられているため、セメント粉はホッパー本体２内で渦巻状に旋回する。
この場合、セメント粉は、ホッパー本体２内に設けられた円錐筒部４の外周で旋回し、円錐筒部４の開口４ａからエアーと共に上昇したセメント粉がフィルター６で分離され、フィルター６を通ってエアーのみが上昇し、脱気管７から良好にエアーが排出されてゆく。
【００１４】
セメント粉は徐々にコーン部９内を旋回しながら下方へ向かい、排出シュート１０の排出口１０ａから真下に向かって吐き出されることとなる。吐き出されたセメント粉は、排出シュート１０に巻き付けられたシート等の排出路にガイドされて真下に落下し、地盤にバラまかれる。
なお、排出シュート１０に巻き付けられたシート等の下端が地盤に達する長さであれば、地盤上に堆積したセメント粉内にシート等の下端が埋まり、その中に、次々とセメント粉が落下してくるため、粉塵の発生を極めて少なくできるものである。
【００１５】
ユンボ等を徐々に移動させ、固化材バラまきホッパー１を徐々に移動させながら、セメント粉を地盤に吹き出し続けて、例えば家を建てようとする地盤にセメント粉を広域に良好にバラまくことができ、地盤にセメント粉がバラまかれた状態で、ユンボ等の土木機械により、バラまかれたセメント粉と地盤を構成する土等を混合させることにより、セメント粉で固い地盤に変えることができ、建築現場における地盤を良好に固化させて地盤改良を行うことができるものである。
その後に、この固化された地盤上には基礎工事が行われて、建築物の基礎が構築されるものである。
【００１６】
このように本例の固化材バラまきホッパー１は、建築現場等において地盤を固化させて改良する際に使用することができ、従来では、セメントを入れた袋の底を破って地盤にバラまく等の作業が必要であり、重労働であったが、本例の固化材バラまきホッパー１を用いることにより、現場で使用しているユンボ等の土木機械を利用して、この固化材バラまきホッパー１を吊り上げて、圧送車から、エアーと共にセメント粉等の固化材を圧送して、良好に地盤上に固化材をバラまくことができ、地盤改良作業を短時間で低コストで行うことができるものとなる。
また、作業中における粉塵の発生を抑えながら、環境に考慮して良好な地盤改良工事が行えるものとなる。
【図面の簡単な説明】
【００１７】
【図１】固化材バラまきホッパーの正面構成図である。
【図２】固化材バラまきホッパーの平面概略構成図である。
【符号の説明】
【００１８】
１  固化材バラまきホッパー
２  ホッパー本体
３  ホースジョイント
４  円錐筒部
５  エアー抜きカバー
６  フィルター
７  脱気管
８  吊り下げブラケット
９  コーン部
１０  排出シュート
１０ａ  排出口
１１  ピットスタンド
１１ａ  伸縮脚部
１１ｂ  着地板
【図１】
2005155210.tif 000003
【図２】
2005155210.tif 000004